(57)【要約】      （修正有）【課題】布ナプキンの安全性、使い心地、環境面への配慮はそのままに、交換作業が簡易な布ナプキン（生理用品）を提供する。【解決手段】生理排出物を受ける為のシート状のパッド部２０と、ショーツのクロッチ部分に係合する一対のフラップ１６ａ、１６ｂを備えた本体部１０と、パッド部２０及び１０本体部を着脱自在に連結する連結体としての面ファスナ１２ｂ〜１２ｄ、２２ｂ〜２２ｄと、を備えて生理用品を構成する。【選択図】図１
0003154532.tif 000002
【実用新案登録請求の範囲】
【請求項１】
生理時排出物を受ける為のシート状のパッド部と、
ショーツのクロッチ部分に沿う方向が長手方向となるように構成され、当該長手方向と直交する方向に突出した一対のフラップを備える本体部と、
前記パッド部及び前記本体部を着脱自在に連結する連結体としての面ファスナと、
を備えることを特徴とする生理用品。
【請求項２】
請求項１において、
前記面ファスナの雄側若しくは雌側の一方が、前記本体部の長手方向両端部付近と、前記本体部における前記一対のフラップの中心同士を結ぶ第１の仮想線上に配置されている
ことを特徴とする生理用品。
【請求項３】
請求項２において、
前記第１の仮想線上に配置されている面ファスナの雄側若しくは雌側の一方が、
前記本体部の幅方向中心を通る第２の仮想線上以外の位置且つ当該第２の仮想線から等距離の位置に２つ配置されている
ことを特徴とする生理用品。
【請求項４】
請求項１〜３のいずれかにおいて、
１種類の前記本体部に対して、異なる大きさの前記パッド部が用意され、生理状態に応じて選択的に取換え可能とされている
ことを特徴とする生理用品。
【請求項５】
尿を受ける為のシート状のパッド部と、
ショーツのクロッチ部分に沿う方向が長手方向となるように構成され、当該長手方向と直交する方向に突出した一対のフラップを備える本体部と、
前記パッド部及び前記本体部を着脱自在に連結する連結体としての面ファスナと、
を備えることを特徴とする尿漏れパッド。
【請求項６】
請求項５において、
前記面ファスナの雄側若しくは雌側の一方が、前記本体部の長手方向両端部付近と、前記本体部における前記一対のフラップの中心同士を結ぶ第１の仮想線上に配置され、更に、
前記第１の仮想線上に配置されている面ファスナの雄側若しくは雌側の一方が、前記本体部の幅方向中心を通る第２の仮想線上以外の位置且つ当該第２の仮想線から等距離の位置に２つ配置されている
ことを特徴とする尿漏れパッド。
【考案の詳細な説明】
【技術分野】
【０００１】
本考案は、女性が生理時に経血等を吸収するために使用する布製の生理用品、及び尿漏れパッドに関するものである。
【背景技術】
【０００２】
一般的に、生理時の経血等を受ける手段として、所謂使い捨ての「紙ナプキン」が広く普及し利用されている。一般的な呼び名としては「紙ナプキン」と称呼されているものの、実際の材質は紙ではなく、ポリオレフィンフィルムやポリオレフィン不織布、ポリエステル不織布、ナイロン、高分子吸収材などの所謂「化学材料」が数多く使用されている。
【０００３】
これら生理用品を介在させる女性器およびその周辺部は、体の中でも特に敏感な部分であり、またその場所柄、空気の入れ換えが起こり難い部分でもある。そこにこのような化学材料満載で構成されている生理用品を用いると、たとえ通気性が考慮されているとはいっても、むれが起こり易く、更に使用者によっては、かゆみ、かぶれ、皮膚だれなどが引き起こされる場合もある。加えて、焼却処理した場合にはダイオキシンの発生等が懸念され、地球環境にとっても好ましいことではない。
【０００４】
このような状況の下で、一部の消費者の間では、「紙ナプキン」ではなく１００％天然素材（綿など）で構成された布製の生理用品（以下単に「布ナプキン」という場合がある。）が好んで選択されている（例えば特許文献１を参照）。
【０００５】
この特許文献１に記載の布ナプキンは、羽根（フラップ）を有する外布と、この外布に設けられたストラップにより固定される内布とで本体部（ナプキンホルダ）を構成し、更にこのナプキンホルダに対して、経血等を吸収するパッドを組み付けるという構造を採用している。
【先行技術文献】
【特許文献】
【０００６】
【特許文献１】特許第４１２４７５９号公報
【考案の概要】
【考案が解決しようとする課題】
【０００７】
確かに特許文献１のような布ナプキンであれば紙ナプキンに比べて通気性も良くむれ難いため、肌が敏感な者であってもかゆみやかぶれが生じ難いといった利点がある。
【０００８】
しかしながら、上記説明した構造上、その取扱い、特にパッドの取換え作業が煩雑であり、取換えに時間を要すると共に、交換作業中に誤ってパッドを落下（例えば便器内などに）させてしまう場合もあった。特に布ナプキンは、高分子の吸収材料等を使用していないことから、一般的な紙ナプキンに比べて交換作業の回数は多くなる傾向にあるため、交換作業が煩雑であると使用者の負担は相当程度大きくなる。しかしこの負担を加味してもその使用感等が優れていることから、交換作業の煩雑さには目をつぶっていたというのが実情である。
【０００９】
そこで本考案は、このような問題点を解決するべくなされたものであって、布ナプキンの安全性、使い心地、環境面への配慮はそのままに、交換作業が簡易な布ナプキン（生理用品）を提供することをその課題としている。
【課題を解決するための手段】
【００１０】
本考案は、生理時排出物を受ける為のシート状のパッド部と、ショーツのクロッチ部分に沿う方向が長手方向となるように構成され、当該長手方向と直交する方向に突出した一対のフラップを備える本体部と、前記パッド部及び前記本体部を着脱自在に連結する連結体としての面ファスナと、を備えることにより上記課題を解決しようとするものである。
【００１１】
このような構成によって、パッド部の交換作業（取付け取外し作業）が飛躍的に容易となった。即ち、パッド部を本体部の一部（例えばポケット部）に押し込んだり、パッド部の一部を本体部側に巻回することなく、面ファスナの位置をある程度合わせて重ねるだけで本体部に対してパッド部を取り付けることができ、また、パッド部を引っ張ることで取り外すことができる。更に、位置を修正する場合も一旦引き離して再度重ねるのみで足り、面倒な作業は一切必要ない。
【００１２】
また本考案は、単に面ファスナを使ってパッド部と本体部とを連結しただけに留まらない。この面ファスナが配置されている位置に技術的特徴が備わっている。より具体的には、面ファスナの雄側若しくは雌側の一方が、本体部の長手方向両端部付近と、この本体部における前記一対のフラップの中心同士を結ぶ第１の仮想線上に配置されていることを特徴とする。
【００１３】
仮に、連結強度を重視すれば、本体部の全面にわたって面ファスナを配置構成することが望ましい。しかしこのような構成は布ナプキン全体の柔軟性や通気性を損ね（面ファスナの存在によって柔軟性、通気性が損なわれる）、フィット感、快適性が阻害されてしまう。一方、例えば長手方向の両端部のみ面ファスナを配置したのでは、人の動きによって最も「ねじれ」や「よれ」が生じやすいクロッチ相当部分のパッド部にずれが生じやすく、場合により経血漏れを起こしかねない。そこで本考案では、長手方向両端部に面ファスナを設けると共に、最も安定的に保持したい部分として一対のフラップの中心を結ぶ線を第1の仮想線として、この仮想線上にも面ファスナを配置したのである。
【００１４】
これにより、布ナプキン全体の柔軟性、通気性を損ねることなく、本体部とパッド部との安定的な連結保持を可能としているのである。
【００１５】
また本考案は、更に、第１の仮想線上に配置されている面ファスナの雄側若しくは雌側の一方が、本体部の幅方向中心を通る第２の仮想線上以外の位置且つ当該第２の仮想線から等距離（Ｌ１、Ｌ２）の位置に２つ配置されていることを特徴とする。
【００１６】
このような面ファスナの配置としたことで、特にフラップが突出している位置付近において、第２の仮想線を中心とした曲げに対してより柔軟性を向上させている。即ち、フラップが突出している位置はまさに陰唇部が接触する位置であり、この中心部分（第２の仮想線上に相当する部分）から面ファスナを意図的に排除することによって、生理用品が陰唇部の谷間部分にぴったりとフィットすることを実現しているのである。またこれと同時に、第１の仮想線上には面ファスナが配置されていることから、パッド部の安定的な保持能力は全く損なっていない。
【００１７】
また、１種類の本体部に対して、異なる大きさのパッド部を用意し、生理状態に応じて選択的に取換え可能とすれば、許容される範囲で好みのパッドを選択できる。即ち、より安心感を得たいときには大きめのパッド部を選択すれば良く、より軽快な装着感を得たければ小さめのパッド部を選択することで多様なニーズに対応することができる。またこの場合でも本体部は共通で使用できるので、パッド部の大きさに応じて専用の本体部を予め用意しておく必要がない。
【考案の効果】
【００１８】
本考案により、パッドの交換作業が容易となり時間もかからず交換できる。その結果、誤ってパッドを落下させてしまうこともない。
【図面の簡単な説明】
【００１９】
【図１】本考案の第1の実施例を示した生理用品の全体斜視図である。
【図２】パッド部の背面図である。
【図３】本体部の正面図である。
【図４】本体部にパッド部を取り付けた状態を示した正面図である。
【図５】本体部のフラップを留めた状態を示した背面図である。
【図６】本体部のフラップを留めた状態を示した側面図である。
【図７】1つの本体部に対して異なる大きさのパッド部が対応する概念を示した概略図である。
【図８】本考案の第２の実施例を示した生理用品の全体図である。
【考案を実施するための形態】
【実施例１】
【００２０】
〈生理用品（布ナプキン）の構成〉
生理用品１は、生理時排出物を受ける為のシート状のパッド部２０と、ショーツのクロッチ部分に沿う方向が長手方向となるように構成され、当該長手方向と直交する方向に突出した一対のフラップ１６ａ、１６ｂを備える本体部１０と、前記パッド部２０及び前記本体部１０を着脱自在に連結する連結体としての面ファスナ１２、２２と、を主として備えた構成とされている。
【００２１】
なお本明細書において「長手方向」とは、当該生理用品をショーツに取り付けた際にショーツのクロッチに沿う方向のことであり、「幅方向」とは、この長手方向に直交する方向、即ちクロッチの幅方向と同じ方向のことを意味している。
【００２２】
図２に示しているのはパッド部２０の背面図であるが、全体的には丸みを帯びた略矩形の形状をなしている。また、周囲がミシンによりステッチされており、繰り返しの使用や洗濯時にもほつれや破れが生じ難い構造となっている。長手方向（図２において上下方向）の中程は、僅かに括れ（くびれ）が形成されており、装着した際の使用感を向上させる形状となっている。
【００２３】
パッド部２０は、１００％天然素材である綿（オーガニックコットン、無漂白ネル等）が使用されており、所謂化学系の繊維は一切使われていない。染料も天然素材のものが使用される。ただし、このことが本考案の必須の要件ではなく、必要に応じて（例えばコストの問題など）部分的に化学系の材料が用いられる事を排除するものではない。
【００２４】
また、パッド部２０の背面（裏面）には、面ファスナ２２が合計４ヶ所配置されている。この面ファスナ２２は雄側若しくは雌側のいずれであってもよい。後述する本体部１０側に対となる面ファスナが装着される。また、この面ファスナ２２の位置は、パッド部２０背面の長手方向両端部付近（図２において上下方向の端部付近）にそれぞれ１つ（２２ａ、２２ｂ）設けられ、更に、長手方向中心位置の幅方向両端部付近にそれぞれ１つ（２２ｃ、２２ｄ）設けられている。これら面ファスナ２２（２２ａ〜２２ｄ）は本実施例では縫製によりパッド部２０に取り付けられている。また、この面ファスナ２２（２２ａ〜２２ｄ）は、非常に薄手で柔軟性の高いものを採用しており、部分的な使用ではあっても生理用品全体に与える柔軟性、通気性への悪影響を最小限に留めている。
【００２５】
図３に示しているように、本実施例では、本体部１０は、丸みを帯びた略十文字形状をなしている。パッド部２０同様に、周縁にステッチが施されて補強された構造となっている。図３に示した上下方向が長手方向であり、この長手方向にショーツのクロッチ部分が沿うこととなる。
【００２６】
本体部１０の左右（図３において左右）には、一対のフラップ１６（第１のフラップ１６ａ、第２のフラップ１６ｂ）が突出して形成されている。当該フラップ１６の先端付近に留め具１４（雌型留め具１４ａ、雄型留め具１４ｂ）が備わっている。より具体的には、第１のフラップ１４ａ側には雌型留め具１４ａが、第２のフラップ１６ｂ側には雄型留め具１４ｂが備わっている。更に雌型留め具１４ａは、幅方向（図３において左右方向）に２つ並んだ配置とされており、雄型留め具１４ｂをいずれかの雌型留め具１４ａと組み合わせて留めることでショーツのクロッチ部分の幅に柔軟に対応することが可能な構成となっている。
【００２７】
また、本体部１０の正面（表面）には、面ファスナ１２が合計４ヶ所配置されている。この面ファスナ１２は雄側若しくは雌側のいずれであってもよい。前述したパッド本体２０側に対となる面ファスナが装着される。また、この面ファスナ１２の位置は、本体部１０正面の長手方向両端部付近（図３において上下方向の端部付近）にそれぞれ１つ（１２ａ、１２ｂ）設けられ、更に、当該本体部１０における一対のフラップ１６ａ、１６ｂの中心同士を結ぶ第１の仮想線ＶＬ１上であって、本体部１０の幅方向中心を通る第２の仮想線ＶＬ２上以外の位置且つ当該第２の仮想線ＶＬ２から等距離（Ｌ１、Ｌ２）の位置に２つ（１２ｃ、１２ｄ）配置されている。また、この面ファスナ１２（１２ａ〜１２ｄ）も、非常に薄手で柔軟性の高いものを採用しており、部分的な使用ではあっても生理用品全体に与える柔軟性、通気性への悪影響を最小限に留めている。
【００２８】
このように面ファスナ１２を配置したことによって、特に第１の仮想線ＶＬ１と第２の仮想線ＶＬ２とが交わる位置周辺（即ち本体部１０の中心付近）において、第２の仮想線を中心とした曲げに対してより柔軟性が向上する構造となっている。これは前述したパッド部２０においても同様である。
【００２９】
〈生理用品（布ナプキン）の作用〉
以下、本考案にかかる生理用品の使い方と共に、その作用を説明する。
【００３０】
生理用品１の使い方としては、一般的な所謂「生理用紙ナプキン」と似ている部分が多い。ただし本考案にかかる生理用品は天然素材でできた布製であり、使い捨てではなく洗濯により繰り返し使用されるものである。
【００３１】
具体的な使い方としては、図４に示しているように、本体部１０の表面上にパッド部２０を重ねるように配置し、本体部１０に備わる面ファスナ１２と、パッド部２０に備わる面ファスナ２２とを当接させる。これにより両者が一体となり連結する。このとき、面ファスナ１２ａは面ファスナ２２ａと、面ファスナ１２ｂは面ファスナ２２ｂと、面ファスナ１２ｃは面ファスナ２２ｃと、面ファスナ１２ｄは面ファスナ２２ｄと一体となる。
【００３２】
その上で、ショーツ（図示していない）のクロッチ部分に生理用品１を載置して、更にフラップ１６ａ、１６ｂをクロッチを取り囲むように折曲げて留め具１４により係止する（図５、図６参照）。このとき、クロッチの幅に応じて、雄型留め具１４ｂを組み合わせる雌型留め具１４ａを適宜選択することができるため、取付け後に生理用品１が前後に移動すること等を防止することができる。
【００３３】
生理用品１をショーツのクロッチに取り付けた後は、ショーツを引き上げ、経血等をパッド部２０にて受ける。一定時間経過後は、状況に応じて新しいパッド部２０に取換え、使用後のパッド部２０は洗濯することで繰り返し使用する。本考案にかかる生理用品１は、綿などの天然素材でできており通気性が良くむれないため、敏感肌の者に対してもかゆみ、かぶれ等を生じ難い。また、洗濯により繰り返し使用できるので排出するゴミ量も少なく、焼却処理によるダイオキシンの発生もないため、地球環境にも優しい製品である。
【００３４】
なお、例えば図７に示しているように、１種類の本体部４０に対して、異なる形状や大きさのパッド部５０、６０、７０を用意し、生理状態に応じて選択的に取換え可能として構成することも可能である。即ち、より安心感を得たいときには大きめのパッド部７０を選択すれば良く、より軽快な装着感を得たければ小さめのパッド部５０を選択することで多様なニーズに対応することができる（例えば夜用、昼用、多い日用、軽い日用など）。またこの場合でも本体部４０は共通で使用できるので、パッド部５０、６０、７０の形状や大きさに応じて専用の本体部１０を予め用意しておく必要がない。
【００３５】
また上記実施例では、留め具１４として所謂スナップボタン型のものが使用されているが、これに限らず、当該留め具として面ファスナを用いることも可能である。面ファスナとすれば、より微調整（クロッチ幅に対する微調整）が可能となり、また、スナップボタンのように固くないので、使用時の違和感を低減できるといった利点もある。
【００３６】
なお、本考案の趣旨からは逸脱するものであるが、例えば本体部１０を、本体部１０の長手方向に突出している部分（面ファスナ１２ａ及び面ファスナ１２ｂが設けられている部分）を切り落とし、一対のフラップ１６ａ、１６ｂを係止するとあたかもリング様の形状として構成することも可能である。即ち、一対のフラップ１６ａ、１６ｂと、第１の仮想線ＶＬ１上に位置する面ファスナ１２ｃ、１２ｄで本体部を簡易的に構成することも可能である。これは本体部をよりコンパクト且つ簡易な構成とすることで、装着時の使用感をより向上させ、また、万が一の時のために常時持ち歩く場合などの携帯性を考慮したものである。
【実施例２】
【００３７】
図８に示す第２実施例は、所謂「夜用」として構成されたものである。基本的な構成及び作用は前述した第１実施例と同じであるため重複説明は省略するが、パッド部１２０および本体部１１０の長手方向の一方（具体的には臀部に位置する側）が大きく瓢箪形状に広がりをもって構成されている。これは、就寝時などの長時間に排出される経血等を漏らさずに受ける為である。
【００３８】
この実施例においても、第１実施例と同様、パッド部１２０と本体部１１０とが面ファスナ１１２、１２２で連結可能となっており、更に当該面ファスナ１１２、１２２の配置も同様となっている。
【産業上の利用可能性】
【００３９】
本考案は、広く普及している所謂「生理用紙ナプキン」では十分な満足を得ることができない者に対して提供されるべき製品である。また、上記では生理用ナプキンとしての使い方を前提に説明を加えているが、例えば、同じものを尿漏れパッドとして利用することもできる。即ち、生理時でなくとも同じ使い方をすることで、多少の尿漏れを吸収し、漏れた尿の衣服への浸透を防止するといった使い方も可能である。
【符号の説明】
【００４０】
１…生理用品
１０…本体部
１２…面ファスナ
１４…留め具
１６…フラップ
２０…本体部
２２…面ファスナ
ＶＬ１…第1の仮想線
ＶＬ２…第２の仮想線
【図１】
0003154532.tif 000003
【図２】
0003154532.tif 000004
【図３】
0003154532.tif 000005
【図４】
0003154532.tif 000006
【図５】
0003154532.tif 000007
【図６】
0003154532.tif 000008
【図７】
0003154532.tif 000009
【図８】
0003154532.tif 000010